(57)【要約】【課題】ユーザがメモを忘れることを従来よりも確実に防止する。【解決手段】付箋片２は、制御デバイス１から取り外され物体に取り付けられる。このとき、制御デバイス１は、この物体に関連するメモを入力するように携帯電話端末３を介してユーザに対して要求する。携帯電話端末３は、入力されたメモをこの付箋片２の識別情報と対応付けて記憶する。その後、制御デバイス１は、付箋片２から識別情報を読み取ると、通知を行うように携帯電話端末３に対して指令する。すると、携帯電話端末３は、この識別情報に対応付けられているメモの存在を、このメモの内容を音声で出力するなどしてユーザに知らせる。【選択図】図１
2012010019.tif 000002
【特許請求の範囲】
【請求項１】
物体に付けるための目印装置と、前記目印装置の着脱が可能な携帯型システムと、を有するメモ通知システムであって、
前記目印装置は、
前記携帯型システムから発信された信号に応じて、当該目印装置を識別する識別情報を発信する識別情報発信手段、
を有し、
前記携帯型システムは、
前記目印装置が当該携帯型システムから取り外され前記物体に付けられた際に、当該物体に関連するメモを入力するようにユーザに対して要求するメモ入力要求手段と、
入力された、前記目印装置が付けられた前記物体の前記メモを、当該目印装置の前記識別情報と対応付けて記憶する、メモ記憶手段と、
前記信号を発信することによって前記目印装置から前記識別情報を読み取る識別情報読取手段と、
読み取られた前記識別情報に対応付けられている前記メモの存在を知らせるメモ通知手段と、
を有する、
メモ通知システム。
【請求項２】
物体に付けるための目印装置から当該目印装置を識別する識別情報を読み取りかつ前記目印装置の着脱が可能な読取装置と、ユーザが携帯することが可能な携帯型装置と、を有するメモ通知システムであって、
前記読取装置は、
当該読取装置から取り外されまたは当該読取装置に取り付けられた前記目印装置を検知する着脱目印装置検知手段と、
取り外された前記目印装置が検知され前記物体に付けられた場合に、当該目印装置の前記識別情報を第一のコマンドとともに前記携帯型装置へ送信する、第一の識別情報送信手段と、
所定の信号を発信することによって前記目印装置から前記識別情報を読み取る識別情報読取手段と、
読み取られた前記識別情報を第二のコマンドとともに前記携帯型装置へ送信する第二の識別情報送信手段と、
を有し、
前記携帯型装置は、
前記第一のコマンドが前記読取装置から送信されてきた場合に前記物体に関連するメモを入力するようにユーザに対して要求するメモ入力要求手段と、
入力された前記メモを、前記第一のコマンドとともに送信されてきた前記識別情報と対応付けて記憶するメモ記憶手段と、
前記識別情報が前記第二のコマンドとともに前記読取装置から送信されてきた場合に、当該識別情報に対応付けられている前記メモの存在を知らせるメモ通知手段と、
を有する、
メモ通知システム。
【請求項３】
前記読取手段は、
取り付けられた前記目印装置が検知された場合に、当該目印装置の前記識別情報を第三のコマンドとともに前記携帯型装置へ送信する、第三の識別情報送信手段、
を有し、
前記メモ記憶手段は、前記第三のコマンドとともに前記識別情報が前記読取装置から送信されてきた場合に、当該識別情報に対応付けられている前記メモを無効にする、
請求項２記載のメモ通知システム。
【請求項４】
前記メモ記憶手段は、前記メモとして音声を記憶し、
前記メモ通知手段は、前記メモの存在を、当該メモを音声として出力することによって知らせる、
請求項２または請求項３記載のメモ通知システム。
【請求項５】
前記メモ記憶手段は、前記メモとともに、当該メモの存在を知らせる条件を記憶し、
前記メモ通知手段は、前記メモの存在を、当該メモの前記条件に従って知らせる、
請求項２ないし請求項４のいずれかに記載のメモ通知システム。
【請求項６】
物体に付けるための目印装置と、前記目印装置を着脱することができる本体装置と、を有するメモ通知支援システムであって、
前記目印装置は、
前記本体装置から発信された信号に応じて、当該目印装置を識別する識別情報を発信する識別情報発信手段、を有し、
前記本体装置は、
当該読取装置から取り外された前記目印装置を検知する目印装置検知手段と、
取り外された前記目印装置が検知され前記物体に付けられた場合に、当該物体に関連するメモの登録を要求する登録コマンドを、当該目印装置の前記識別情報とともにユーザの携帯型装置へ送信する、メモ登録要求手段と、
前記信号を発信することによって前記目印装置から前記識別情報を読み取る識別情報読取手段と、
前記メモの存在を通知するように通知コマンドを、読み取られた前記識別情報とともに前記携帯型装置へ送信する、メモ通知要求手段と、
を有する、
メモ通知支援システム。
【請求項７】
前記目印装置は、
前記物体に付けられたことを検知する付着検知手段、を有し、
前記識別情報発信手段は、前記物体に付けられたことが検知された後に発信された前記信号に応じて、前記識別情報を発信する、
請求項６記載のメモ通知支援システム。
【請求項８】
物体に付けるための目印装置の着脱が可能なメモ通知支援装置であって、
当該メモ通知支援装置から取り外された前記目印装置を検知する目印装置検知手段と、
検知された前記目印装置が付けられた前記物体に関連するメモの登録を要求する登録コマンドを、当該目印装置を識別する識別情報とともにユーザの携帯型装置へ送信する、メモ登録要求手段と、
所定の信号を発信することによって前記目印装置から前記識別情報を読み取る識別情報読取手段と、
前記メモの存在を通知するように通知コマンドを、読み取られた前記識別情報とともに前記携帯型装置へ送信する、メモ通知要求手段と、
を有するメモ通知支援装置。
【請求項９】
物体に付けるための目印装置と、前記目印装置の着脱が可能な携帯型システムと、を用いるメモ通知方法であって、
前記携帯型システムに、
前記目印装置が当該携帯型システムから取り外され前記物体に付けられた際に、当該物体に関連するメモを入力するようにユーザに対して要求する処理を実行させ、
入力された、前記目印装置が付けられた前記物体の前記メモを、当該目印装置の前記識別情報と対応付けて記憶する処理を実行させ、
前記信号を発信することによって前記目印装置から前記識別情報を読み取る処理を実行させ、
読み取られた前記識別情報に対応付けられている前記メモの存在を知らせる処理を実行させる、
メモ通知方法。
【請求項１０】
物体に付けるための目印装置の着脱が可能なメモ通知支援装置に用いられるコンピュータプログラムであって、
当該メモ通知支援装置に、
当該メモ通知支援装置から取り外された前記目印装置を検知する処理と、
検知された前記目印装置が付けられた前記物体に関連するメモの登録を要求する登録コマンドを、当該目印装置を識別する識別情報とともにユーザの携帯型装置へ送信する処理と、
所定の信号を発信することによって前記目印装置から前記識別情報を読み取る処理と、
前記メモの存在を通知するように通知コマンドを、読み取られた前記識別情報とともに前記携帯型装置へ送信する処理と、
を実行させる、
コンピュータプログラム。
【発明の詳細な説明】
【技術分野】
【０００１】
本発明は、メモの存在をユーザに対して通知する技術に関する。
【背景技術】
【０００２】
近年、付箋紙が普及している。付箋紙の表（おもて）面には、ペンでメモを書くことができる。付箋紙の裏面には、一般に工作などに用いられる糊よりも粘着性が低い糊が付いている。よって、ユーザは、付箋紙を容易に物に貼ったり剥がしたりすることができる。
【０００３】
ユーザは、家庭またはオフィスなどでの忘れ物や忘れごとを防止するために付箋紙にメモを書くことが多い。そして、メモを書いた付箋紙を、忘れ物または忘れごとに関連する物体に貼っておくことが多い。例えば、弁当を持って出掛けるのを忘れないように付箋紙を玄関のドアに貼っておいたり、オフィスから自宅へ帰る際に買い物するのを忘れないようにオフィス内の自分のロッカーに付箋紙を貼っておいたりする。
【先行技術文献】
【特許文献】
【０００４】
【特許文献１】特開２００５−３４３１０３号公報
【特許文献２】特開２００５−１８１８１９号公報
【発明の概要】
【発明が解決しようとする課題】
【０００５】
ところが、ユーザは、付箋紙が貼られていることに気付かなければ、上に例示した作業などを忘れたままにしてしまうおそれがある。特に、付箋紙以外の物が貼られていたり、付箋紙の色とドアなどの色とが似ていたりすると、ユーザは、付箋紙に気付きにくい。または、付箋紙がたくさん貼られていると、ユーザは、今やるべきことが書かれている付箋紙を見落としてしまうことがある。
【０００６】
また、Integrated Circuit（ＩＣ）タグの識別子と情報とを対応付けてデータベースに記憶させておき、ユーザが自分の端末装置でＩＣタグから識別子を読み取り、読み取った識別子に対応する情報をデータベースから検索する技術が提案されている（特許文献１、２）。
【０００７】
しかし、従来の技術によると、ユーザは、情報の発信者から一方的に情報を得ることしかできない。
【０００８】
本発明は、このような問題点に鑑み、ユーザがメモを忘れることを従来よりも確実に防止することを、目的とする。
【課題を解決するための手段】
【０００９】
本発明の一形態に係るメモ通知システムは、物体に付けるための目印装置と、前記目印装置の着脱が可能な携帯型システムと、を有するメモ通知システムであって、前記目印装置は、前記携帯型システムから発信された信号に応じて、当該目印装置を識別する識別情報を発信する識別情報発信手段、を有し、前記携帯型システムは、前記目印装置が当該携帯型システムから取り外され前記物体に付けられた際に、当該物体に関連するメモを入力するようにユーザに対して要求するメモ入力要求手段と、入力された、前記目印装置が付けられた前記物体の前記メモを、当該目印装置の前記識別情報と対応付けて記憶する、メモ記憶手段と、前記信号を発信することによって前記目印装置から前記識別情報を読み取る識別情報読取手段と、読み取られた前記識別情報に対応付けられている前記メモの存在を知らせるメモ通知手段と、を有する。
【発明の効果】
【００１０】
本発明によると、ユーザがメモを忘れることを従来よりも確実に防止することができる。
【図面の簡単な説明】
【００１１】
【図１】メモ通知システムの全体的な構成の例を示す図である。
【図２】不使用時の付箋セットの外観の例を示す図である。
【図３】付箋片および制御デバイスの外観の例を示す図である。
【図４】付箋片のハードウェア構成の例を示す図である。
【図５】制御デバイスのハードウェア構成の例を示す図である。
【図６】制御デバイスの機能的構成の例を示す図である。
【図７】携帯電話端末のハードウェア構成の例を示す図である。
【図８】携帯電話端末の機能的構成の例を示す図である。
【図９】使用の準備のための処理の流れの例を示すシーケンス図である。
【図１０】付箋片ステータステーブルの例を示す図である。
【図１１】通知設定テーブルの例を示す図である。
【図１２】メモの登録のための処理の流れの例を示すシーケンス図である。
【図１３】メモの登録のための処理の流れの例を示すシーケンス図である。
【図１４】画面の例を示す図である。
【図１５】メモの通知のための処理の流れの例を示すシーケンス図である。
【図１６】設定の解除のための処理の流れの例を示すシーケンス図である。
【図１７】制御デバイスの全体的な処理の流れの例を説明するフローチャートである。
【図１８】携帯電話端末の全体的な処理の流れの例を説明するフローチャートである。
【発明を実施するための形態】
【００１２】
図１は、メモ通知システム１ＴＳの全体的な構成の例を示す図である。図２は、不使用時の付箋セット１ＦＳの外観の例を示す図である。図３は、付箋片２および制御デバイス１の外観の例を示す図である。図４は、付箋片２のハードウェア構成の例を示す図である。図５は、制御デバイス１のハードウェア構成の例を示す図である。図６は、制御デバイス１の機能的構成の例を示す図である。図７は、携帯電話端末３のハードウェア構成の例を示す図である。図８は、携帯電話端末３の機能的構成の例を示す図である。
【００１３】
図１に示すように、メモ通知システム１ＴＳは、付箋セット１ＦＳおよび携帯電話端末３などを有する。付箋セット１ＦＳは、図２に示すように制御デバイス１および複数の付箋片２などを有する。以下、各付箋片２を「付箋片２Ａ」、「付箋片２Ｂ」、「付箋片２Ｃ」などと区別して記載することがある。
【００１４】
付箋片２の筐体２００には、図３（Ａ）に示すように、穴２００ｈが設けられている。制御デバイス１の筐体１００には、図３（Ｂ）に示すように、穴２００ｈに納まる形状および大きさを有するピン１００ｐが設けられている。
【００１５】
付箋片２は、使用されないときは、図２に示すように、穴２００ｈにピン１００ｐが挿入されるように、制御デバイス１に取り付けられる。なお、取り付けられる位置は、付箋片２ごとに予め決められている。取り付けられる位置が間違われないように、付箋片２ごとに穴２００ｈの形状および大きさを異なるようにして、穴２００ｈには決められたピン１００ｐしか挿入できないようにしてもよい。筐体２００の裏面２００ｕの全体または一部分には、糊が付いている。糊として、例えば、一般の付箋紙で用いられているものと同じ糊が用いられる。
【００１６】
ユーザは、メモ通知システム１ＴＳを例えば次のように使用する。ユーザは、忘れては困る事項がある場合に、制御デバイス１から付箋片２を１つ取り外し、その事項に関連する物体に貼り付ける。そして、ユーザは、自分が普段携帯している携帯電話端末３の録音の機能を用いて、その事項を声に出して録音する。つまり、声でメモを取る。その後、ユーザがその物体に近づいたら、携帯電話端末３は、録音された音声（メモ）を出力する。
【００１７】
付箋片２は、筐体２００のほか、図４に示すビーコン応答制御モジュール２０ａ、Integrated Circuit（ＩＣ）タグ２０ｂ、および接触センサ２０ｃなどの装置を有する。
【００１８】
制御デバイス１は、筐体１００のほか、図５に示す制御用モジュール１０ａ、メモリ１０ｂ、無線タグ通信モジュール１０ｃ、Ｂｌｕｅｔｏｏｔｈモジュール１０ｄ、接触センサ１０ｅ、および付箋片検知部１０ｆなどの装置を有する。図５に示す各装置は、筐体１００の中に納まっている。
【００１９】
メモリ１０ｂには、図６に示す付箋片初期登録制御部１０１、メモ設定制御部１０２、メモ通知制御部１０３、リセット制御部１０４、および付箋片ステータステーブル１０５などを実現するためのソフトウェア１ＳＷが記憶されている。このソフトウェア１ＳＷに含まれるプログラムは、制御用モジュール１０ａによって実行される。制御用モジュール１０ａとして、例えば、Micro Processing Unit（ＭＰＵ）またはCentral Processing Unit（ＣＰＵ）が用いられる。図６に示す機能の全部または一部を、Application Specific Integrated Circuit（ＡＳＩＣ）またはField Programmable Gate Array（ＦＰＧＡ）などによって実現してもよい。
【００２０】
携帯電話端末３は、図７に示すように、ＭＰＵ（ＭＰＵ）３０ａ、メモリ３０ｂ、携帯電話通信回路３０ｃ、液晶パネル３０ｄ、操作ボタン群３０ｅ、音声処理回路３０ｆ、マイク３０ｇ、スピーカ３０ｈ、バイブレータ３０ｉ、およびＢｌｕｅｔｏｏｔｈモジュール３０ｊなどを有する。このように、携帯電話端末３のハードウェア構成は、従来の携帯電話端末のハードウェア構成と同様である。
【００２１】
メモリ３０ｂには、図８に示すような付箋片初期登録処理部３０１、メモ設定処理部３０２、メモ通知処理部３０３、リセット処理部３０４、および通知設定テーブル３０５などを実現するためのソフトウェア３ＳＷが記憶されている。このソフトウェア３ＳＷに含まれるプログラムは、ＭＰＵ３０ａによって実行される。図８に示す機能の全部または一部を、ＡＳＩＣまたはＦＰＧＡなどによって実現してもよい。
【００２２】
以下、メモ通知システム１ＴＳの使用方法および図４〜図８に示した各部の役割などを、順次説明する。
【００２３】
〔使用の準備〕
図９は、使用の準備のための処理の流れの例を示すシーケンス図である。図１０は、付箋片ステータステーブル１０５の例を示す図である。図１１は、通知設定テーブル３０５の例を示す図である。
【００２４】
メモ通知システム１ＴＳの準備のための作業および処理を、図９のシーケンス図などを参照しながら説明する。
【００２５】
ユーザは、付箋セット１ＦＳおよびソフトウェア３ＳＷを入手すると、ソフトウェア３ＳＷを携帯電話端末３へインストールする。そして、付箋セット１ＦＳの筐体１００の裏面１００ｕ（図３参照）を携帯電話端末３に接触させる。なお、裏面１００ｕの全体または一部分には、付箋片２の筐体２００の裏面２００ｕと同様に、糊が付いている。また、この時点では、付箋片２はすべて、図２に示すように、制御デバイス１に取り付けられている。
【００２６】
付箋片ステータステーブル１０５（図６参照）には、図１０に示すように、付箋片２ごとのステータスデータ７が予め格納されている。ステータスデータ７は、付箋片２に設けられているＩＣタグ２０ｂの識別子（以下、「タグ＿ＩＤ」と記載する。）および現在の使用の状況（以下、「使用状況」と記載する。）が示される。使用状況のデフォルトは「不使用」である。
【００２７】
接触センサ１０ｅ（図５参照）は、筐体１００の裏面１００ｕに設けられており、裏面１００ｕに物体が接触したことを検知する。接触センサ１０ｅとして、光センサまたはタッチセンサなどが用いられる。
【００２８】
したがって、ユーザが制御デバイス１を携帯電話端末３に貼り付けると、接触センサ１０ｅは、携帯電話端末３に接触したことを検知し、検知したことを示す信号を制御用モジュール１０ａへ送る（図９の＃１１１）。
【００２９】
すると、図６の付箋片初期登録制御部１０１は、Ｂｌｕｅｔｏｏｔｈモジュール１０ｄを制御するなどして、付箋片２を使用できるようにするための初期登録処理を次のように実行する。なお、Ｂｌｕｅｔｏｏｔｈモジュール１０ｄは、Ｂｌｕｅｔｏｏｔｈに対応した機器と無線通信を行うための装置である。携帯電話端末３のＢｌｕｅｔｏｏｔｈモジュール３０ｊ（図４参照）も、同様である。
【００３０】
付箋片初期登録制御部１０１は、ペアリングの指令をＢｌｕｅｔｏｏｔｈモジュール１０ｄに対して与える（＃１１２）。
【００３１】
すると、Ｂｌｕｅｔｏｏｔｈモジュール１０ｄは、ペアリングを要求する信号および自らのＢｌｕｅｔｏｏｔｈ＿ＩＤを無線によって発信する（＃１１３）。
【００３２】
携帯電話端末３において、ペアリングを要求する信号などをＢｌｕｅｔｏｏｔｈモジュール３０ｊが受信すると（＃３１１）、液晶パネル３０ｄは、ペアリング画面を表示する。「ペアリング画面」は、ペアリングを行ってもよいか否かを選択しかつペアリングの相手のPersonal Identification Number（ＰＩＮ）コードを入力するための画面である。（＃３１２）。ここで、ユーザは、ペアリングを行ってもよい旨を選択し、さらに、制御デバイス１のＰＩＮコードを入力する。
【００３３】
ペアリングを行ってもよい旨が選択され、かつ、制御デバイス１が有するＰＩＮコードと入力されたＰＩＮコードとが一致した場合は、Ｂｌｕｅｔｏｏｔｈモジュール３０ｊは、ペアリングの許可を示す信号および自らのＢｌｕｅｔｏｏｔｈ＿ＩＤを制御デバイス１へ返信する（＃３１３）。
【００３４】
これにより、Ｂｌｕｅｔｏｏｔｈモジュール１０ｄおよびＢｌｕｅｔｏｏｔｈモジュール３０ｊは、互いのＢｌｕｅｔｏｏｔｈ＿ＩＤを通知し合うことができ、ペアリングを完了する。Ｂｌｕｅｔｏｏｔｈモジュール３０ｊは、Ｂｌｕｅｔｏｏｔｈモジュール１０ｄのＢｌｕｅｔｏｏｔｈ＿ＩＤを信頼できる装置のＢｌｕｅｔｏｏｔｈ＿ＩＤとして記憶する（＃３１４）。同様に、制御用モジュール１０ａまたはＢｌｕｅｔｏｏｔｈモジュール１０ｄは、Ｂｌｕｅｔｏｏｔｈモジュール３０ｊのＢｌｕｅｔｏｏｔｈ＿ＩＤを信頼できる装置のＢｌｕｅｔｏｏｔｈ＿ＩＤとして記憶する（＃１１５）。
【００３５】
ペアリングが完了したら、Ｂｌｕｅｔｏｏｔｈモジュール１０ｄは、付箋片初期登録制御部１０１からの指令に従って、付箋片ステータステーブル１０５に格納されているステータスデータ７のそれぞれに示されるタグ＿ＩＤを付箋登録コマンド６１とともに携帯電話端末３へ送信する（＃１１４）。
【００３６】
携帯電話端末３において、Ｂｌｕｅｔｏｏｔｈモジュール３０ｊがタグ＿ＩＤおよび付箋登録コマンド６１を受信すると（＃３１５）、付箋片初期登録処理部３０１は、受信したタグ＿ＩＤごとの通知設定データ８を生成し、図１１に示すように通知設定テーブル３０５に格納する（＃３１６）。
【００３７】
通知設定データ８には、受信したタグ＿ＩＤのほか、メモを通知する手段（通知手段）、メモの内容（通知内容）、およびメモを通知する日時の条件（日時条件）などが示される。ただし、通知設定データ８が生成された時点では、タグ＿ＩＤ以外の項目には未だ何も設定されていない。
【００３８】
そして、Ｂｌｕｅｔｏｏｔｈモジュール３０ｊは、付箋片初期登録処理部３０１からの指令に従って、準備の完了を示す信号を制御デバイス１へ送信する（＃３１７）。
【００３９】
以上の作業および処理によって、メモ通知システム１ＴＳを使用するための準備が完了する。
【００４０】
〔メモの登録〕
図１２および図１３は、メモの登録のための処理の流れの例を示すシーケンス図である。図１４は、画面の例を示す図である。
【００４１】
次に、メモを残す際の作業および処理を、図１２および図１３のシーケンス図などを参照しながら説明する。
【００４２】
ＩＣタグ２０ｂ（図４参照）は、アクティブ型のＩＣタグである。「接触センサ２０ｃは、光センサまたはタッチセンサなどであって、物体に付箋片２が貼り付けられたことを検知するために用いられる。ビーコン応答制御モジュール２０ａは、ＩＣタグ２０ｂを制御するためのマイコンである。
【００４３】
ビーコン応答制御モジュール２０ａ、ＩＣタグ２０ｂ、および接触センサ２０ｃそれぞれの電源のスイッチが穴２００ｈに設けられている。穴２００ｈにピン１００ｐが刺さっているときはそれぞれのスイッチが押されてそれぞれの電源がオフになり、ピン１００ｐが抜けるとそれぞれのスイッチが上がりそれぞれの電源がオンになる。
【００４４】
無線タグ通信モジュール１０ｃは、微弱な電波でビーコン信号を発信することによってＩＣタグ２０ｂからタグ＿ＩＤを読み取る装置である。無線タグ通信モジュール１０ｃとして、例えば非接触式のＩＣカードリーダまたはＩＣカードリーダライタなどが用いられる。
【００４５】
付箋片検知部１０ｆは、制御デバイス１に各付箋片２が取り付けられたことおよび取り外されたことを検知するための装置である。例えば、付箋片２Ａ、２Ｂ、２Ｃそれぞれが取り付けられる位置にボタンを１つずつ設けておき、ボタンの位置を検知することによって、取付けおよび取外しを検知してもよい。または、光センサまたはタッチセンサなどによって検知してもよい。
【００４６】
ユーザは、メモを物体に対応付けて記録したい場合に、付箋片２を１つ付箋セット１ＦＳから取り外す。
【００４７】
すると、制御デバイス１の付箋片検知部１０ｆは、その付箋片２が取り外されたことを検知する（図１２の＃１２１）。取り外された付箋片２は、メモに関わる物体にまもなく貼り付けられメモのために用いられると考えられる。
【００４８】
そこで、メモ設定制御部１０２は、いずれかの付箋片２が取り外されたことが付箋片検知部１０ｆによって検知されると、メモを取る処理およびメモの通知を可能にするための処理を次のように実行する。
【００４９】
メモ設定制御部１０２は、ビーコン信号の発信を無線タグ通信モジュール１０ｃに開始させる（図１２の＃１２２、＃１２３）。なお、後述する通り、無線タグ通信モジュール１０ｃは、すべての付箋片２が制御デバイス１に取り付けられる（返却される）まで、ビーコン信号を定期的に（例えば、数秒ごとに）発信する（＃１２４、図１３の＃１３１など）。
【００５０】
さらに、メモ設定制御部１０２は、付箋片ステータステーブル１０５に格納されているステータスデータ７のうちの取り外された付箋片２のステータスデータ７の「使用状況」の値を「取外し」に更新する（＃１２５）。
【００５１】
上述の通り、制御デバイス１から取り外されると、付箋片２のビーコン応答制御モジュール２０ａ、ＩＣタグ２０ｂ、および接触センサ２０ｃは、穴２００ｈからピン１００ｐが抜けることによって電源がオンになる。これにより、ビーコン応答制御モジュール２０ａ、ＩＣタグ２０ｂ、および接触センサ２０ｃが起動する（＃２２１）。
【００５２】
ユーザは、制御デバイス１から取り外した付箋片２を、メモを残したい物体に貼り付ける。すると、接触センサ２０ｃは、物体に貼り付けられたことを検知する（＃２２３）。
【００５３】
ただし、ビーコン応答制御モジュール２０ａは、起動後、制御デバイス１からのビーコン信号に対してＩＣタグ２０ｂが応答しないように処理を行う（＃２２２）。そして、その後、物体に付箋片２が貼り付けられたことが接触センサ２０ｃによって検知されたら（＃２２３）、制御デバイス１からのビーコン信号に対して応答できるように処理を行う（＃２２４）。
【００５４】
例えば、ビーコン応答制御モジュール２０ａは、貼付フラグを有する。ビーコン応答制御モジュール２０ａは、起動後、貼付フラグを「オフ」に設定する。そして、物体に付箋片２が貼り付けられたことが接触センサ２０ｃによって検知されたら、貼付フラグを「オン」に更新する。また、ビーコン応答制御モジュール２０ａは、ＩＣタグ２０ｂが受信した信号とフラグの値と論理積をＡＮＤ回路などを用いて求めることによって、貼付フラグがオフのときはＩＣタグ２０ｂが受信した信号を無効化し、オンのときは無効化を中止する。
【００５５】
または、接触センサ２０ｃの電源をオンにするタイミングを、制御デバイス１から取り外されたタイミングではなく、物体に付箋片２が貼り付けられたことが接触センサ２０ｃによって検知されたタイミングにしてもよい。
【００５６】
上述の通り、制御デバイス１の無線タグ通信モジュール１０ｃは、定期的にビーコン信号を発信している（＃１２４など）。
【００５７】
付箋片２のＩＣタグ２０ｂは、物体に付箋片２が貼り付けられた後の最初のビーコン信号に対して応答する（＃２２５）。つまり、ＩＣタグ２０ｂは、このビーコン信号を受信すると、自らのタグ＿ＩＤを発信する。
【００５８】
無線タグ通信モジュール１０ｃがＩＣタグ２０ｂからタグ＿ＩＤを受信すると（＃１２６）、Ｂｌｕｅｔｏｏｔｈモジュール１０ｄは、メモ設定制御部１０２からの指令に従って、受信されたタグ＿ＩＤをメモ記録コマンド６２とともに携帯電話端末３へ送信する（図１３の＃１２７、＃１２８）。
【００５９】
携帯電話端末３において、Ｂｌｕｅｔｏｏｔｈモジュール３０ｊがタグ＿ＩＤおよびメモ記録コマンド６２を受信すると（＃３２１）、メモ設定処理部３０２は、受信したタグ＿ＩＤを有する付箋片２のためのメモの設定の処理を、次のように実行する。
【００６０】
メモ設定処理部３０２は、図１４（Ａ）〜（Ｄ）のような画面を液晶パネル３０ｄに適宜表示させながら（＃３２２）、メモに関する設定の内容を受け付ける処理を行う（＃３２３）。
【００６１】
まずは、メモ設定処理部３０２は、図１４（Ａ）のメモ通知手段選択画面ＷＮ１を表示させる。
【００６２】
ここで、ユーザは、メモの通知の手段（方法）を携帯電話端末３に対して次のように指定する。ユーザは、メモを音声によって通知してもらいたい場合は、チェックボタンＣＢ１１をオンにする。または、液晶パネル３０ｄへの表示によって通知してもらいたい場合は、チェックボタンＣＢ１２をオンにする。または、バイブレーションの振動によって通知してもらいたい場合は、チェックボタンＣＢ１３をオンにする。そして、ＯＫボタンＢＴ１を押す。
【００６３】
すると、メモ設定処理部３０２は、メモ通知手段選択画面ＷＮ１における手段の指定を受け付ける。
【００６４】
メモ設定処理部３０２は、次のように、指定された手段に応じて音声入力要求画面ＷＮ２またはテキスト入力画面ＷＮ３を表示させ、メモの内容の指定を受け付ける。
【００６５】
メモ通知手段選択画面ＷＮ１においてチェックボタンＣＢ１１がオンの状態でＯＫボタンＢＴ１が押された場合は、メモ設定処理部３０２は、図１４（Ｂ）のような音声入力要求画面ＷＮ２を表示する。
【００６６】
ここで、ユーザは、メモを音声によって入力する。例えば、ユーザは、所定のキーを押したまま、マイク３０ｇに向かってメモの内容を声に出して入力する。そして、入力が終わったタイミングで所定のキーを放す。
【００６７】
すると、メモ設定処理部３０２は、所定のキーが押されている間にマイク３０ｇによって入力された音声を、所定のフォーマットの音声ファイルに変換し、ユニークなファイル名を付してメモリ３０ｂに記憶させる。
【００６８】
または、メモ通知手段選択画面ＷＮ１においてチェックボタンＣＢ１２またはＣＢ１３がオンの状態でＯＫボタンＢＴ１が押された場合は、メモ設定処理部３０２は、図１４（Ｃ）のようなテキスト入力画面ＷＮ３を表示する。
【００６９】
ここで、ユーザは、操作ボタン群３０ｅによってテキストボックスＴＢ３にメモの内容を入力し、ＯＫボタンＢＴ３を押す。
【００７０】
すると、メモ設定処理部３０２は、テキストボックスＴＢ３に入力された内容を受け付ける。
【００７１】
音声またはテキストが入力されたら、メモ設定処理部３０２は、図１４（Ｄ）のような条件指定画面ＷＮ４を表示させる。
【００７２】
ここで、ユーザは、テキストボックスＴＢ４にメモの通知の時期を入力し、ＯＫボタンＢＴ４を押す。すると、メモ設定処理部３０２は、テキストボックスＴＢ４に入力された内容を受け付ける。ただし、時期を指定する必要がない場合は、ユーザは、何も入力せずにＯＫボタンＢＴ４を押す。
【００７３】
そして、メモ設定処理部３０２は、ステップ＃３２１で受信したタグ＿ＩＤを示す通知設定データ８を通知設定テーブル３０５（図１１（Ａ）参照）から検索し、この通知設定データ８を次のように更新することによって、メモの設定の登録を行う（＃３２４）。
【００７４】
メモ設定処理部３０２は、メモ通知手段選択画面ＷＮ１で選択された通知手段が示されるように、この通知設定データ８の「通知手段」の値を更新する。さらに、メモリ３０ｂに記憶させた音声ファイルのファイル名またはテキスト入力画面ＷＮ３で入力されたテキストが示されるように、この通知設定データ８の「通知内容」を更新する。そして、条件指定画面ＷＮ４にメモの通知の時期が入力された場合は、入力された時期が示されるように、この通知設定データ８の「日時条件」を更新する。
【００７５】
例えば、「Ｆ００１」というタグ＿ＩＤを有する付箋片２である付箋片２Ａが物体に貼り付けられ、ユーザが通知手段として音声を選択し、音声を入力することによって「２０１００１２３００１．ｍｐ３」というファイル名の音声ファイルがメモリ１０ｂに記憶され、ユーザが７時から９時までの時間帯を入力したとする。この場合は、メモ設定処理部３０２は、図１１（Ｂ）に示すように、「Ｆ００１」というタグ＿ＩＤを示す通知設定データ８の「通知手段」に「音声」を書き込み、「通知内容」に「２０１００１２３００１．ｍｐ３」を書き込み、「日時条件」に「７：００−９：００」を書き込む。
【００７６】
メモの設定の登録が完了したら、Ｂｌｕｅｔｏｏｔｈモジュール３０ｊは、メモ設定処理部３０２からの指令に従って、メモの通知の設定の完了を示す信号を、ステップ＃３２１で受信したタグ＿ＩＤとともに制御デバイス１へ送信する（＃３２５）。
【００７７】
制御デバイス１において、メモ設定制御部１０２は、メモの通知の設定の完了を示す信号およびタグ＿ＩＤをＢｌｕｅｔｏｏｔｈモジュール１０ｄが受信したら（＃１２９）、そのタグ＿ＩＤを示すステータスデータ７を付箋片ステータステーブル１０５（図１０（Ａ）参照）から検索する。そして、このステータスデータ７の「使用状況」の値を「使用中」に更新する（＃１３０）。
【００７８】
例えば、上述の図１１（Ｂ）の例のように「Ｆ００１」というタグ＿ＩＤを有する付箋片２についての設定が携帯電話端末３においてなされた場合は、図１０（Ｂ）のように、「Ｆ００１」を示すステータスデータ７の「使用状況」の値を「使用中」に更新する。
【００７９】
〔メモの通知〕
図１５は、メモの通知のための処理の流れの例を示すシーケンス図である。
【００８０】
ユーザは、物体に付箋片２を貼り付け、メモの設定を行ったら、この物体から離れる。ユーザは、制御デバイス１を貼り付けた携帯電話端末３を持ち歩く。そして、再びこの物体に近づいたときに、携帯電話端末３からメモを通知してもらうことができる。
【００８１】
次に、メモをユーザへ通知する際の処理を、図１５のシーケンス図などを参照しながら説明する。
【００８２】
上述の通り、制御デバイス１の無線タグ通信モジュール１０ｃは、定期的にビーコン信号を発信することによって、付箋片２のＩＣタグ２０ｂからタグ＿ＩＤを読み取ることを試みる（＃１４１、＃１４２）。物体に貼り付けられている付箋片２にユーザが近づくと、この付箋片２のＩＣタグ２０ｂは、ビーコン信号を受信する（＃２４１）。そして、このビーコン信号が、このＩＣタグ２０ｂのペアである制御デバイス１からのビーコン信号であれば、自らのタグ＿ＩＤを発信する（＃２４２）。
【００８３】
無線タグ通信モジュール１０ｃがタグ＿ＩＤを受信すると（＃２４３）、メモ通知制御部１０３は、ユーザに対してメモを通知するための処理を、次のように実行する。
【００８４】
メモ通知制御部１０３は、受信したタグ＿ＩＤを示すステータスデータ７を付箋片ステータステーブル１０５から検索する（＃１４４）。
【００８５】
検索したステータスデータ７の「使用状況」が「使用中」である場合は、メモ通知制御部１０３は、Ｂｌｕｅｔｏｏｔｈモジュール１０ｄに、受信したタグ＿ＩＤをメモ通知コマンド６３とともに携帯電話端末３へ送信させる（＃１４５、１４６）。「使用中」でない場合は、未だメモの設定がなされていないと考えられるので、メモ通知制御部１０３は、メモの通知のための処理を中止する。
【００８６】
携帯電話端末３において、Ｂｌｕｅｔｏｏｔｈモジュール３０ｊがタグ＿ＩＤおよびメモ通知コマンド６３を受信すると（＃３４１）、メモ通知処理部３０３は、受信したタグ＿ＩＤを示す通知設定データ８を通知設定テーブル３０５から読み出し、その通知設定データ８に基づいてメモをユーザへ通知する処理を行う（＃３４２）。
【００８７】
具体的には、その通知設定データ８の「通知手段」に「音声」と示される場合は、メモ通知処理部３０３は、その通知設定データ８の「通知内容」に示されるファイル名を有する音声ファイルをメモリ１０ｂから読み出し、この音声ファイルに基づいて音声をスピーカ３０ｈから出力する。または、「通知手段」に「表示」と示される場合は、メモ通知処理部３０３は、「通知内容」に示されるテキストを液晶パネル３０ｄに表示させる。または、「通知手段」に「振動」と示される場合は、メモ通知処理部３０３は、バイブレータ３０ｉを振動させるとともに、「通知内容」に示されるテキストを液晶パネル３０ｄに表示させる。
【００８８】
そして、Ｂｌｕｅｔｏｏｔｈモジュール３０ｊは、メモ通知処理部３０３からの指令に従って、通知の処理を完了した旨を示す信号を制御デバイス１へ送信する（＃３４３）。
【００８９】
ただし、その通知設定データ８の「日時条件」に時期が示される場合は、現在の日時がその時期に該当する場合に限り、メモ通知処理部３０３は、上述のステップ＃３４２の通知の処理を行う。該当しない場合は、ステップ＃３４２の通知の処理を実行せず中止する。この場合は、メモ通知処理部３０３は、Ｂｌｕｅｔｏｏｔｈモジュール３０ｊに、通知の処理を中止した旨を示す信号を制御デバイス１へ送信させる。
【００９０】
なお、同一のメモの通知が何度も行わないようにするために、例えば、あるメモの通知が行われた後は、所定の時間（例えば、１０分）が経過するまでは、再度の通知を行わないようにしてもよい。
【００９１】
〔設定の解除〕
図１６は、設定の解除のための処理の流れの例を示すシーケンス図である。
【００９２】
ユーザは、メモの通知が不要になった場合は、その通知のために使用していた付箋片２を制御デバイス１へ戻し、再利用することができる。
【００９３】
以下、使用されていた付箋片２を制御デバイス１へ戻す際の作業および処理を、図１６のシーケンス図を参照しながら説明する。
【００９４】
ユーザは、使用中の付箋片２を物体から取り外し、制御デバイス１の所定の位置へ取り付ける。
【００９５】
すると、制御デバイス１において、付箋片検知部１０ｆは、その付箋片２が取り付けられたことを検知する（＃１５１）。
【００９６】
リセット制御部１０４は、取り付けられたことが検知された付箋片２の設定をリセットするための処理を次のように実行する。
【００９７】
リセット制御部１０４は、その付箋片２のステータスデータ７を付箋片ステータステーブル１０５から検索し、そのステータスデータ７の「使用状況」を「不使用」に更新する（＃１５２）。
【００９８】
ステータスデータ７の更新の処理と前後してまたは並行して、リセット制御部１０４は、Ｂｌｕｅｔｏｏｔｈモジュール１０ｄに、その付箋片２のタグ＿ＩＤをリセットコマンド６４とともに携帯電話端末３へ送信させる（＃１５３、＃１５４）。
【００９９】
携帯電話端末３において、Ｂｌｕｅｔｏｏｔｈモジュール３０ｊがタグ＿ＩＤおよびリセットコマンド６４を受信すると、リセット処理部３０４は、そのタグ＿ＩＤを示す通知設定データ８を通知設定テーブル３０５から検索し、その通知設定データ８の「通知手段」、「通知内容」、および「日時条件」の値をすべて消去する（＃３５１）。
【０１００】
消去が完了したら、Ｂｌｕｅｔｏｏｔｈモジュール３０ｊは、リセット処理部３０４からの指令に従って、消去の完了を示す信号を、受信したタグ＿ＩＤとともに制御デバイス１へ送信する（＃３５２）。
【０１０１】
図１７は、制御デバイス１の全体的な処理の流れの例を説明するフローチャートである。図１８は、携帯電話端末３の全体的な処理の流れの例を説明するフローチャートである。
【０１０２】
次に、図１７および図１８のフローチャートを参照しながら説明する。
【０１０３】
制御デバイス１は、所定のイベントがあるごとに、そのイベントに応じて次の処理を行う。
【０１０４】
制御デバイス１は、携帯電話端末３に接触したことを検知すると（図１７の＃１１でＹｅｓ）、付箋片２の使用の準備のための処理を行う（＃１２）。すなわち、制御デバイス１は、携帯電話端末３とペアリングを行い、同じ付箋セット１ＦＳのメンバである付箋片２それぞれのタグ＿ＩＤを付箋登録コマンド６１とともに携帯電話端末３へ送信する。これにより、タグ＿ＩＤの登録の指令が携帯電話端末３に対してなされる。具体的な処理の内容は、図９で説明した通りである。
【０１０５】
その後、制御デバイス１は、付箋片２が取り外されたことを検知するごとに（＃１３でＹｅｓ）、メモの登録の処理を行う（＃１４）。すなわち、制御デバイス１は、取り外された付箋片２のタグ＿ＩＤをメモ記録コマンド６２とともに携帯電話端末３へ送信する。これにより、メモの設定の指令が携帯電話端末３に対してなされる。具体的な処理の内容は、図１２および図１３で説明した通りである。
【０１０６】
制御デバイス１は、定期的にビーコン信号を発信することによって、付箋片２からタグ＿ＩＤを読み取ることを試みている。そして、制御デバイス１は、タグ＿ＩＤを読み取るごとに（＃１５でＹｅｓ）、メモの通知の処理を行う（＃１６）。すなわち、制御デバイス１は、そのタグ＿ＩＤをメモ通知コマンド６３とともに携帯電話端末３へ送信する。これにより、メモの通知の指令が携帯電話端末３に対してなされる。具体的な処理の内容は、図１５で説明した通りである。なお、同じ時期に繰り返し通知が行われないようにするために、送信後、所定の時間が経過するまでは、再び同じタグ＿ＩＤを読み取ってもそれを携帯電話端末３へ送信しないようにしてもよい。
【０１０７】
また、制御デバイス１は、付箋片２が取り付けられたことを検知するごとに（＃１７でＹｅｓ）、取り付けられた付箋片２を不使用の状態に戻す（リセットする）処理を行う（＃１８）。すなわち、制御デバイス１は、取り付けられた付箋片２のタグ＿ＩＤをリセットコマンド６４とともに携帯電話端末３へ送信する。これにより、リセットの指令が携帯電話端末３に対してなされる。具体的な処理の内容は、図１６で説明した通りである。
【０１０８】
一方、付箋片２は、所定のイベントがあるごとに、そのイベントに応じて次の処理を行う。
【０１０９】
携帯電話端末３は、制御デバイス１からペアリングの要求を受けると（図１８の＃３１でＹｅｓ）、制御デバイス１とのペアリングを行い、その後に送信されてくるタグ＿ＩＤを登録する処理を行う（＃３２）。具体的な処理の内容は、図９で説明した通りである。
【０１１０】
その後、携帯電話端末３は、タグ＿ＩＤおよびメモ記録コマンド６２が制御デバイス１から送信されてくるごとに（＃３３でＹｅｓ）、そのタグ＿ＩＤと対応付けて、メモの通知の手段、内容、および通知の時期などを設定する処理を行う（＃３４）。具体的な処理の内容は、図１２および図１３で説明した通りである。
【０１１１】
または、携帯電話端末３は、タグ＿ＩＤおよびメモ通知コマンド６３が制御デバイス１から送信されてくるごとに（＃３５でＹｅｓ）、そのタグ＿ＩＤに対応付けられているメモの内容を通知する処理を行う（＃３６）。具体的な処理の内容は、図１５で説明した通りである。
【０１１２】
または、携帯電話端末３は、タグ＿ＩＤおよびリセットコマンド６４が制御デバイス１から送信されてくるごとに（＃３７でＹｅｓ）、そのタグ＿ＩＤに対応付けられている設定を削除する（＃３８）。
【０１１３】
本実施形態によると、ユーザがメモを忘れることを従来よりも確実に防止することができる。
【０１１４】
本実施形態では、付箋片２を糊によって貼り付けたが、糊の代わりにマグネットまたはクリップなどを用いてもよい。
【０１１５】
本実施形態では、ＩＣタグ２０ｂとしてアクティブ型のＩＣタグを用いたが、本発明は、パッシブ型のＩＣタグ（Radio Frequency Identification（ＲＦＩＤ））や微弱無線を用いても実現可能である。
【０１１６】
本実施形態では、メモを出力する装置として携帯電話端末３を用いたが、Ｂｌｕｅｔｏｏｔｈを備えた他の装置を用いてもよい。例えば、Ｂｌｕｅｔｏｏｔｈを備えた可搬型のオーディオプレーヤを用いてもよい。
【０１１７】
本実施形態では、携帯電話端末３は、メモが存在することを、そのメモの内容を音声で出力したりバイブレーションを振動させたりしてユーザに対して通知したが、それ以外の方法で通知してもよい。例えば、携帯電話端末３のデジタルカメラ用のフラッシュライトを点滅させることによって知らせてもよい。
【０１１８】
本実施形態では、メモの内容を示すテキストをユーザに入力させたが、文章のひな形を幾つか予め用意しておき、ひな形の中から選択することによって入力させてもよい。日時条件についても同様に、曜日および時間帯などの選択肢を幾つか予め用意しておき、その中から選択することによって入力させてもよい。または、現在の日時から「１０分後以降」または「１２時間後以降」のように、現在の日時を基準に日時条件を指定させてもよい。この場合も、幾つかの選択肢を用意しておいてもよい。
【０１１９】
その他、メモ通知システム１ＴＳ、付箋セット１ＦＳ、制御デバイス１、付箋片２、携帯電話端末３の全体または各部の構成、処理内容、処理順序、テーブルの構成などは、本発明の趣旨に沿って適宜変更することができる。
【符号の説明】
【０１２０】
１  制御デバイス
１ＴＳ  メモ通知システム
１ＦＳ  付箋セット
１０２  メモ設定制御部
１０３  メモ通知制御部
１０４  リセット制御部
２  付箋片
３  携帯電話端末
３０ｂ  メモリ
３０２  メモ設定処理部
３０３  メモ通知処理部
３０４  リセット処理部
３０５  通知設定テーブル
６２  メモ記録コマンド
６３  メモ通知コマンド
６４  リセットコマンド
【図１】
2012010019.tif 000003
【図２】
2012010019.tif 000004
【図３】
2012010019.tif 000005
【図４】
2012010019.tif 000006
【図５】
2012010019.tif 000007
【図６】
2012010019.tif 000008
【図７】
2012010019.tif 000009
【図８】
2012010019.tif 000010
【図９】
2012010019.tif 000011
【図１０】
2012010019.tif 000012
【図１１】
2012010019.tif 000013
【図１２】
2012010019.tif 000014
【図１３】
2012010019.tif 000015
【図１４】
2012010019.tif 000016
【図１５】
2012010019.tif 000017
【図１６】
2012010019.tif 000018
【図１７】
2012010019.tif 000019
【図１８】
2012010019.tif 000020